(57)【要約】  【課題】発音の音と所要の発音動作とを視覚的・聴覚的に同期対応させて示す発音教材を、通信網を介して接続された学習者端末間でリアルタイムに送受信することが可能な発音学習支援方法、学習者端末及び処理プログラム並びに該プログラムを記録した記録媒体の提供。  【解決手段】ユーザからの所定の入力を受付け可能に構成された入力デバイス１１と、通信網を介した双方向通信可能に構成される発音教材抽出部１２と、音声データと動画像データとをデコードするデータデコード部１３と、デコードされた音声データを出力する音声データ出力部１４と、音声データの出力と同期された動画像データをそれぞれ対応させて一画面上に表示出力する動画像データ出力部１５と、ユーザのリピート発音時の様子を撮影することで、音声データと口もと正面動画像と口もと斜視動画像とを有した撮影データを生成する映像入力デバイス１６と、を具備する特徴。  【選択図】図１
2005321443.tif 000002
【特許請求の範囲】
【請求項１】
通信網上の任意の領域にレクチュアとユーザのそれぞれの学習者端末が配置されて、外国語の所定の発音に対応した音声データと、当該発音発声時に必要な発声動作と所要の息の流れとを口内部分中央垂直片半断面模式図上で順次表示変化して示すアニメーション動画像と，前記発音の際の口もとの様子を撮影した口もと正面動画像と，口もと斜視動画像との各データを有する動画像データと、を含む発音教材を所定の前記レクチュア学習者端末から配信して前記ユーザ学習者端末にて受信して再生することで、前記外国語発音の短期集中習得を支援するための発音学習支援方法であって、
予め、前記レクチュア学習者端末において、
所定の前記アニメーション動画像を事前に蓄積しておくとともに、前記発音教材毎に当該発音教材の前記レクチュアの少なくとも性別、年齢の情報と当該レクチュア学習者端末のアドレス情報を含む発音教材情報を前記ユーザ学習者端末に公開しておき、
まず、前記ユーザ学習者端末から、前記ユーザにより前記性別と前記年齢に基づき任意に選択設定された前記発音教材情報中の前記アドレス情報に該当する前記レクチュア学習者端末に接続要求し、
次いで、当該接続要求に基づき当該レクチュア学習者端末と当該ユーザ学習者端末との間で双方向通信を確立した後に、
当該レクチュア学習者端末において、
蓄積した前記アニメーション動画像の示す前記発音に対応する前記レクチュアの当該発音時の様子を撮影することで、前記音声データと前記口もと正面動画像と前記口もと斜視動画像とを有した撮影データを生成し、
当該撮影データを当該アニメーション動画像と同期対応させて、前記発音教材として前記ユーザ学習者端末にリアルタイムに配信する一方、
当該ユーザ学習者端末において、
当該発音教材の受信と並行して、当該発音教材に対応する前記ユーザのリピート発音時の様子を撮影することで前記撮影データを生成し、
当該撮影データを前記レクチュア学習者端末にリアルタイムに送信して、
引続き、当該レクチュア学習者端末と当該ユーザ学習者端末のそれぞれにおいて、
当該発音教材と当該撮影データとをデコードし、
前記音声データの再生と同期対応させて、当該発音教材と当該撮影データ中の前記動画像データを同一画面上に対照可能に同時並列に表示再生する、
ことを特徴とする発音学習支援方法。
【請求項２】
外国語の所定の発音に対応した音声データと、当該発音発声時に必要な発声動作と所要の息の流れとを口内部分中央垂直片半断面模式図上で順次表示変化して示すアニメーション動画像と，口もと正面動画像と，口もと斜視動画像とのデータを有する動画像データと、を含む発音教材を所定のレクチュア学習者端末から通信網を介して配信してユーザ学習者端末にて受信して再生するための当該通信網上の任意の領域に配置された学習者端末であって、
当該ユーザ学習者端末を利用するユーザからの所定の入力を受付け可能に構成されて、前記通信網上に複数公開された前記発音教材毎に設定されて当該発音教材のレクチュアの少なくとも性別、年齢の情報と当該発音教材を配信する前記レクチュア学習者端末のアドレス情報とを含む発音教材情報から、当該ユーザにより前記性別と前記年齢に基づき任意に選択設定された入力を受付けたときに、当該発音教材情報中の前記アドレス情報に基づく前記発音教材の要求信号を出力する入力デバイスと、
前記通信網を介して前記レクチュア学習者端末とリアルタイムにデータを送受信して双方向通信可能に構成されるとともに、前記要求信号に基づき該当する前記レクチュア学習者端末に接続要求し、当該レクチュア学習者端末から前記発音教材を受信する発音教材抽出部と、
前記音声データと前記動画像データとをデコードするデータデコード部と、
当該データデコード部にてデコードされた前記音声データを出力する音声データ出力部と、
当該データデコード部にてデコードされて前記音声データの出力と同期された前記動画像データをそれぞれ対応させて一画面上に表示出力する動画像データ出力部と、
前記ユーザのリピート発音時の様子を撮影することで、前記音声データと前記口もと正面動画像と前記口もと斜視動画像とを有した撮影データを生成し、当該撮影データを前記データデコード部に出力するとともに、前記双方向通信が確立された前記レクチュア学習者端末にリアルタイムに送信可能に前記発音教材抽出部に出力する映像入力デバイスと、を具備する、
ことを特徴とする発音学習支援学習者端末。
【請求項３】
前記学習者端末は、
前記発音教材中の、少なくとも事前に作成された所定の前記アニメーション動画像を蓄積する発音教材蓄積部を具備し、
前記発音教材抽出部は、
前記入力デバイスにて前記レクチュアからの入力に基づき生成した前記発音教材情報を、前記通信網を介して前記ユーザ学習者端末に公開するとともに、前記映像入力デバイスにて前記発音教材蓄積部中の所定の前記アニメーション動画像の示す前記発音に対応させて生成した前記撮影データを、当該アニメーション動画像とそれぞれ同期対応させて、前記発音教材として前記双方向通信を確立した前記ユーザ学習者端末にリアルタイムに配信可能に構成される、
ことを特徴とする請求項２に記載の発音学習支援学習者端末。
【請求項４】
通信網上の任意の領域にレクチュアとユーザのそれぞれの学習者端末が配置されて、外国語の所定の発音に対応した音声データと、当該発音発声時に必要な発声動作と所要の息の流れとを口内部分中央垂直片半断面模式図上で順次表示変化して示すアニメーション動画像と，口もと正面動画像と，口もと斜視動画像との各データを有する動画像データと、を含む発音教材を所定の前記レクチュア学習者端末から配信させて前記ユーザ学習者端末にて受信し再生させることで、前記外国語発音の短期集中習得を支援するための、前記レクチュア学習者端末と前記ユーザ学習者端末とに導入して使用される発音学習支援処理プログラムであって、
前記レクチュア学習者端末に、
所定の前記アニメーション動画像を事前に蓄積させる処理手順を実行させておくとともに、前記発音教材毎に当該発音教材の前記レクチュアの少なくとも性別、年齢の情報と当該レクチュア学習者端末のアドレス情報を含む発音教材情報を前記ユーザ学習者端末に公開させる処理手順を実行させておき、
前記ユーザ学習者端末に、
前記ユーザにより前記性別と前記年齢に基づき任意に選択設定された前記発音教材情報中の前記アドレス情報に該当する前記レクチュア学習者端末に接続要求させる処理手順を実行させ、
当該接続要求に基づき当該レクチュア学習者端末と前記ユーザ学習者端末とに、双方向通信を確立させる処理手順を実行させた後に、
当該レクチュア学習者端末に、
蓄積させた前記アニメーション動画像の示す前記発音に対応する前記レクチュアの当該発音時の様子を撮影することで、前記音声データと前記口もと正面動画像と前記口もと斜視動画像とを有した撮影データを生成させる処理手順と、
当該撮影データを当該アニメーション動画像と同期対応させて、前記発音教材として前記ユーザ学習者端末にリアルタイムに配信させる処理手順と、を順次実行させる一方、
当該ユーザ学習者端末に、
当該発音教材の受信させる処理手順と並行して、当該発音教材に対応する前記ユーザのリピート発音時の様子を撮影させることで前記撮影データを生成させる処理手順と、
当該撮影データを前記レクチュア学習者端末にリアルタイムに送信させる処理手順と、を順次実行させ、
引続き、当該レクチュア学習者端末と前記ユーザ学習者端末のそれぞれに、
当該発音教材と当該撮影データとをデコードさせる処理手順と、
前記音声データの再生と同期対応させて、当該発音教材と当該撮影データ中の前記動画像データを同一画面上に対照可能に同時並列に表示再生させる処理手順と、を順次実行させる、
ことを特徴とする発音学習支援処理プログラム。
【請求項５】
請求項４に記載の発音学習支援処理プログラムにおける各処理手順をコンピュータ読取可能に実録してなる、
ことを特徴とする発音学習支援処理プログラムを記録した記録媒体。
【発明の詳細な説明】
【技術分野】
【０００１】
本発明は、発音学習支援方法、学習者端末及び処理プログラム並びに該プログラムを記録した記録媒体に関し、詳しくは、通信網上の任意の領域にレクチュアとユーザのそれぞれの学習者端末が配置されて、外国語の所定の発音に対応した音声データと、当該発音発声時に必要な発声動作と所要の息の流れとを口内部分中央垂直片半断面模式図上で順次表示変化して示すアニメーション動画像と，発音の際の口もとの様子を撮影した口もと正面動画像と，口もと斜視動画像との各データを有する動画像データと、を含む発音教材を所定のレクチュア学習者端末から配信してユーザ学習者端末にて受信して再生することで、外国語発音の短期集中習得を支援するための発音学習支援方法、並びにその実施に直接使用される発音学習支援学習者端末、この学習者端末に導入して使用される発音学習支援処理プログラム、該プログラムを記録した記録媒体に係わる。
【背景技術】
【０００２】
近年、社会の急速な拡大により、グローバルコミュニケーションの必要性が増大し、外国語の習得が重要となっている。しかしながら、外国語の学習において、正確な発音を習得することが重要であるにもかかわらず、例えば、母語にはない口の動きを身に付けることが必要となることはあまり認知されておらず、外国語のリピート発音学習にあたり依然として、聴覚的に外国語の発音を耳から音のみ聴かせるものや、外国語の発音を学習者の母国語に無理やり当てはめて置き換えて示すもの等が多くある。
【０００３】
そこで、本願発明者は、以下に示す特許文献１のとおり、外国語の学習にあたり、学習者に、発音による音のみならず、この発音に必要な口もとの動作及び舌、歯、息遣い等の動作についてそれぞれ複雑に関連する所要動作を同期連携させて同一画面上に同時に提示させることで、学習者に外国語の正しい発音を的確に提示する発明を創作するに至っている。
【０００４】
【特許文献１】特願２００３−３６２４２８号
【発明の開示】
【発明が解決しようとする課題】
【０００５】
ここで、特許文献１に開示した発明は、学習者に聴覚的及び視覚的に外国語の発音を同時に提示することで、学習者のリピート発音の学習を最適に支援するものであるが、学習者に提示する発音教材が、事前に作成された所定のデータのみを用いたオンデマンドで行われるものであって、例えば、教師の発音の様子をリアルタイムに提供可能なものではなかった。
【０００６】
また、性別、年齢層等の異なる様々な発音教材を作成するためには、その正確な発音を為す教師を数多く集める必要があり、学習者と、この学習者が学習対象とする言語を母語とする教師とでは、異なる生活圏で生活している場合が多いことからも、その発音教材の作成には大変なコストがかかるものであった。
【０００７】
さらに、事前に収録された発音教材のみを用いた発音の学習では、その発音教材に基づき学習者が口を動かしても、そのリピート発音の動作が正しいものであるか否かは学習者自らが標準発音を為す発音教材と比較して行うことしかできず、自己満足に陥り易く、リアルタイム性と双方向性を持ち、客観的に学習者の発音を正しく評価することはできなかった。
【０００８】
ここにおいて、本発明が解決すべき主要な目的は、次のとおりである。
【０００９】
即ち、本発明の第１の目的は、発音の学習にあたり、発音の音と所要の発音動作とを視覚的・聴覚的に同期対応させて示す発音教材を、学習者から任意に選択設定されて通信網を介して接続されたレクチュアとユーザ学習者端末間でリアルタイムに送受信することを可能とする発音学習支援方法、学習者端末及び処理プログラム並びに該プログラムを記録した記録媒体を提供せんとするものである。
【００１０】
本発明の第２の目的は、映像入力デバイスにより撮影した撮影データをレクチュアとユーザ学習者端末間において相互に双方向に配信することで、ユーザのリピート発音の際の発声動作の客観的な正しい評価をリアルタイムに行うことを可能とする発音学習支援方法、学習者端末及び処理プログラム並びに該プログラムを記録した記録媒体を提供せんとするものである。
【００１１】
本発明の他の目的は、明細書、図面、特に特許請求の範囲の各請求項の記載から、自ずと明らかになろう。
【課題を解決するための手段】
【００１２】
まず、本発明方法においては、予め、レクチュア学習者端末において、所定のアニメーション動画像を事前に蓄積しておくとともに、発音教材毎に当該発音教材のレクチュアの少なくとも性別、年齢の情報と当該レクチュア学習者端末のアドレス情報を含む発音教材情報をユーザ学習者端末に公開しておき、まず、ユーザ学習者端末から、ユーザにより性別と年齢に基づき任意に選択設定された発音教材情報中のアドレス情報に該当するレクチュア学習者端末に接続要求し、次いで、当該接続要求に基づき当該レクチュア学習者端末と当該ユーザ学習者端末との間で双方向通信を確立した後に、当該レクチュア学習者端末において、蓄積したアニメーション動画像の示す発音に対応するレクチュアの当該発音時の様子を撮影することで、音声データと口もと正面動画像と口もと斜視動画像とを有した撮影データを生成し、当該撮影データを当該アニメーション動画像と同期対応させて、発音教材としてユーザ学習者端末にリアルタイムに配信する一方、当該ユーザ学習者端末において、当該発音教材の受信と並行して、当該発音教材に対応するユーザのリピート発音時の様子を撮影することで撮影データを生成し、当該撮影データをレクチュア学習者端末にリアルタイムに送信して、引続き、当該レクチュア学習者端末と当該ユーザ学習者端末のそれぞれにおいて、当該発音教材と当該撮影データとをデコードし、音声データの再生と同期対応させて、当該発音教材と当該撮影データ中の動画像データを同一画面上に対照可能に同時並列に表示再生する、という特徴的構成手法を講じる。
【００１３】
また、本発明端末においては、ユーザ学習者端末を利用するユーザからの所定の入力を受付け可能に構成されて、通信網上に複数公開された発音教材毎に設定されて当該発音教材のレクチュアの少なくとも性別、年齢の情報と当該発音教材を配信するレクチュア学習者端末のアドレス情報とを含む発音教材情報から、当該ユーザにより性別と年齢に基づき任意に選択設定された入力を受付けたときに、当該発音教材情報中のアドレス情報に基づく発音教材の要求信号を出力する入力デバイスと、通信網を介してレクチュア学習者端末とリアルタイムにデータを送受信して双方向通信可能に構成されるとともに、要求信号に基づき該当するレクチュア学習者端末に接続要求し、当該レクチュア学習者端末から発音教材を受信する発音教材抽出部と、音声データと動画像データとをデコードするデータデコード部と、当該データデコード部にてデコードされた音声データを出力する音声データ出力部と、当該データデコード部にてデコードされて音声データの出力と同期された動画像データをそれぞれ対応させて一画面上に表示出力する動画像データ出力部と、ユーザのリピート発音時の様子を撮影することで、音声データと口もと正面動画像と口もと斜視動画像とを有した撮影データを生成し、当該撮影データをデータデコード部に出力するとともに、双方向通信が確立されたレクチュア学習者端末にリアルタイムに送信可能に発音教材抽出部に出力する映像入力デバイスと、を具備させる、という特徴的構成手段を講じる。
【００１４】
一方、本発明プログラムにおいては、レクチュア学習者端末に、所定のアニメーション動画像を事前に蓄積させる処理手順を実行させておくとともに、発音教材毎に当該発音教材のレクチュアの少なくとも性別、年齢の情報と当該レクチュア学習者端末のアドレス情報を含む発音教材情報をユーザ学習者端末に公開させる処理手順を実行させておき、ユーザ学習者端末に、ユーザにより性別と年齢に基づき任意に選択設定された発音教材情報中のアドレス情報に該当するレクチュア学習者端末に接続要求させる処理手順を実行させ、当該接続要求に基づき当該レクチュア学習者端末とユーザ学習者端末とに、双方向通信を確立させる処理手順を実行させた後に、当該レクチュア学習者端末に、蓄積させたアニメーション動画像の示す発音に対応するレクチュアの当該発音時の様子を撮影することで、音声データと口もと正面動画像と口もと斜視動画像とを有した撮影データを生成させる処理手順と、当該撮影データを当該アニメーション動画像と同期対応させて、発音教材としてユーザ学習者端末にリアルタイムに配信させる処理手順と、を順次実行させる一方、当該ユーザ学習者端末に、当該発音教材の受信させる処理手順と並行して、当該発音教材に対応するユーザのリピート発音時の様子を撮影させることで撮影データを生成させる処理手順と、当該撮影データをレクチュア学習者端末にリアルタイムに送信させる処理手順と、を順次実行させ、引続き、当該レクチュア学習者端末とユーザ学習者端末のそれぞれに、当該発音教材と当該撮影データとをデコードさせる処理手順と、音声データの再生と同期対応させて、当該発音教材と当該撮影データ中の動画像データを同一画面上に対照可能に同時並列に表示再生させる処理手順と、を順次実行させる、という特徴的構成手順を講じる。
【００１５】
他方、本発明記録媒体においては、本発明プログラムにおける各処理手順を実践する手続をコンピュータ読取可能に実録する、という特徴的構成手続を講じる。
【００１６】
さらに、具体的詳細に述べると、当該課題の解決では、本発明が次に列挙する上位概念から下位概念に亙る新規な特徴的構成手法、手段、手順又は手続を採用することにより、前記目的を達成するよう為される。
【００１７】
即ち、本発明方法の第１の特徴は、通信網上の任意の領域にレクチュアとユーザのそれぞれの学習者端末が配置されて、外国語の所定の発音に対応した音声データと、当該発音発声時に必要な発声動作と所要の息の流れとを口内部分中央垂直片半断面模式図上で順次表示変化して示すアニメーション動画像と，前記発音の際の口もとの様子を撮影した口もと正面動画像と，口もと斜視動画像との各データを有する動画像データと、を含む発音教材を所定の前記レクチュア学習者端末から配信して前記ユーザ学習者端末にて受信して再生することで、前記外国語発音の短期集中習得を支援するための発音学習支援方法であって、予め、前記レクチュア学習者端末において、所定の前記アニメーション動画像を事前に蓄積しておくとともに、前記発音教材毎に当該発音教材の前記レクチュアの少なくとも性別、年齢の情報と当該レクチュア学習者端末のアドレス情報を含む発音教材情報を前記ユーザ学習者端末に公開しておき、まず、前記ユーザ学習者端末から、前記ユーザにより前記性別と前記年齢に基づき任意に選択設定された前記発音教材情報中の前記アドレス情報に該当する前記レクチュア学習者端末に接続要求し、次いで、当該接続要求に基づき当該レクチュア学習者端末と当該ユーザ学習者端末との間で双方向通信を確立した後に、当該レクチュア学習者端末において、蓄積した前記アニメーション動画像の示す前記発音に対応する前記レクチュアの当該発音時の様子を撮影することで、前記音声データと前記口もと正面動画像と前記口もと斜視動画像とを有した撮影データを生成し、当該撮影データを当該アニメーション動画像と同期対応させて、前記発音教材として前記ユーザ学習者端末にリアルタイムに配信する一方、当該ユーザ学習者端末において、当該発音教材の受信と並行して、当該発音教材に対応する前記ユーザのリピート発音時の様子を撮影することで前記撮影データを生成し、当該撮影データを前記レクチュア学習者端末にリアルタイムに送信して、引続き、当該レクチュア学習者端末と当該ユーザ学習者端末のそれぞれにおいて、当該発音教材と当該撮影データとをデコードし、前記音声データの再生と同期対応させて、当該発音教材と当該撮影データ中の前記動画像データを同一画面上に対照可能に同時並列に表示再生してなる、発音学習支援方法の構成採用にある。
【００１８】
また、本発明端末の第１の特徴は、外国語の所定の発音に対応した音声データと、当該発音発声時に必要な発声動作と所要の息の流れとを口内部分中央垂直片半断面模式図上で順次表示変化して示すアニメーション動画像と，口もと正面動画像と，口もと斜視動画像とのデータを有する動画像データと、を含む発音教材を所定のレクチュア学習者端末から通信網を介して配信してユーザ学習者端末にて受信して再生するための当該通信網上の任意の領域に配置された学習者端末であって、当該ユーザ学習者端末を利用するユーザからの所定の入力を受付け可能に構成されて、前記通信網上に複数公開された前記発音教材毎に設定されて当該発音教材のレクチュアの少なくとも性別、年齢の情報と当該発音教材を配信する前記レクチュア学習者端末のアドレス情報とを含む発音教材情報から、当該ユーザにより前記性別と前記年齢に基づき任意に選択設定された入力を受付けたときに、当該発音教材情報中の前記アドレス情報に基づく前記発音教材の要求信号を出力する入力デバイスと、前記通信網を介して前記レクチュア学習者端末とリアルタイムにデータを送受信して双方向通信可能に構成されるとともに、前記要求信号に基づき該当する前記レクチュア学習者端末に接続要求し、当該レクチュア学習者端末から前記発音教材を受信する発音教材抽出部と、前記音声データと前記動画像データとをデコードするデータデコード部と、当該データデコード部にてデコードされた前記音声データを出力する音声データ出力部と、当該データデコード部にてデコードされて前記音声データの出力と同期された前記動画像データをそれぞれ対応させて一画面上に表示出力する動画像データ出力部と、前記ユーザのリピート発音時の様子を撮影することで、前記音声データと前記口もと正面動画像と前記口もと斜視動画像とを有した撮影データを生成し、当該撮影データを前記データデコード部に出力するとともに、前記双方向通信が確立された前記レクチュア学習者端末にリアルタイムに送信可能に前記発音教材抽出部に出力する映像入力デバイスと、を具備してなる、発音学習支援学習者端末の構成採用にある。
【００１９】
本発明端末の第２の特徴は、上記本発明端末の第１の特徴における前記学習者端末が、前記発音教材中の、少なくとも事前に作成された所定の前記アニメーション動画像を蓄積する発音教材蓄積部を具備し、前記発音教材抽出部が、前記入力デバイスにて前記レクチュアからの入力に基づき生成した前記発音教材情報を、前記通信網を介して前記ユーザ学習者端末に公開するとともに、前記映像入力デバイスにて前記発音教材蓄積部中の所定の前記アニメーション動画像の示す前記発音に対応させて生成した前記撮影データを、当該アニメーション動画像とそれぞれ同期対応させて、前記発音教材として前記双方向通信を確立した前記ユーザ学習者端末にリアルタイムに配信可能に構成されてなる、発音学習支援学習者端末の構成採用にある。
【００２０】
一方、本発明プログラムの第１の特徴は、通信網上の任意の領域にレクチュアとユーザのそれぞれの学習者端末が配置されて、外国語の所定の発音に対応した音声データと、当該発音発声時に必要な発声動作と所要の息の流れとを口内部分中央垂直片半断面模式図上で順次表示変化して示すアニメーション動画像と，口もと正面動画像と，口もと斜視動画像との各データを有する動画像データと、を含む発音教材を所定の前記レクチュア学習者端末から配信させて前記ユーザ学習者端末にて受信し再生させることで、前記外国語発音の短期集中習得を支援するための、前記レクチュア学習者端末と前記ユーザ学習者端末とに導入して使用される発音学習支援処理プログラムであって、前記レクチュア学習者端末に、所定の前記アニメーション動画像を事前に蓄積させる処理手順を実行させておくとともに、前記発音教材毎に当該発音教材の前記レクチュアの少なくとも性別、年齢の情報と当該レクチュア学習者端末のアドレス情報を含む発音教材情報を前記ユーザ学習者端末に公開させる処理手順を実行させておき、前記ユーザ学習者端末に、前記ユーザにより前記性別と前記年齢に基づき任意に選択設定された前記発音教材情報中の前記アドレス情報に該当する前記レクチュア学習者端末に接続要求させる処理手順を実行させ、当該接続要求に基づき当該レクチュア学習者端末と前記ユーザ学習者端末とに、双方向通信を確立させる処理手順を実行させた後に、当該レクチュア学習者端末に、蓄積させた前記アニメーション動画像の示す前記発音に対応する前記レクチュアの当該発音時の様子を撮影することで、前記音声データと前記口もと正面動画像と前記口もと斜視動画像とを有した撮影データを生成させる処理手順と、当該撮影データを当該アニメーション動画像と同期対応させて、前記発音教材として前記ユーザ学習者端末にリアルタイムに配信させる処理手順と、を順次実行させる一方、当該ユーザ学習者端末に、当該発音教材の受信させる処理手順と並行して、当該発音教材に対応する前記ユーザのリピート発音時の様子を撮影させることで前記撮影データを生成させる処理手順と、当該撮影データを前記レクチュア学習者端末にリアルタイムに送信させる処理手順と、を順次実行させ、引続き、当該レクチュア学習者端末と前記ユーザ学習者端末のそれぞれに、当該発音教材と当該撮影データとをデコードさせる処理手順と、前記音声データの再生と同期対応させて、当該発音教材と当該撮影データ中の前記動画像データを同一画面上に対照可能に同時並列に表示再生させる処理手順と、を順次実行させてなる、発音学習支援処理プログラムの構成採用にある。
【００２１】
他方、本発明記録媒体の第１の特徴は、上記本発明プログラムの第１の特徴における各処理手順をコンピュータ読取可能に実録してなる、発音学習支援処理プログラムを記録した記録媒体の構成採用にある。
【発明の効果】
【００２２】
本発明によれば、外国語の発音の学習にあたり、ユーザにより任意に選択設定されて双方向に接続した、例えば、語学教師が利用するレクチュア学習者端末から、通信網を介してリアルタイムにユーザ学習者端末に、発音に必要な所定の口の動作等を示すことが可能となり、また、ユーザのリピート発音時の口の様子を撮影し、その撮影データをレクチュア学習者端末に送信することで、ユーザの発音の客観的な評価をリアルタイムに行うことが可能となる。
【００２３】
また、通信網を介して発音教材をリアルタイムに配信可能としたことにより、教師が利用するレクチュア学習者端末の設置位置が限定されず、世界中、どこからでも、どこに対してでも配信することができ、また、１台のレクチュア学習者端末から、一括して複数のユーザ学習者端末に対して発音教材を配信することが可能となり、ユーザは、学習したい言語を使用する国で実際に生活する教師や、自分の性別、年齢に近い教師等をレクチュアとして任意に選択することが可能となる。
【発明を実施するための最良の形態】
【００２４】
以下、本発明の実施の形態につき、添付図面を参照しつつ、端末例並びにこれに対応する方法例を説明し、これに引続き、その方法例を具現化するためのプログラム例及び記録媒体例を説明する。
【００２５】
（端末例）
まず、図１は、本発明の端末例に係る学習者端末の構成を適用ネットワーク構成と共に示す図である。なお、本図では、本発明を適用する学習者端末α１，α２，α３，α４，…を、最も一般的なＣＰＵ（Central Processing Unit）とメモリを搭載したパーソナルコンピュータとした適用形態を例に挙げている。
【００２６】
同図に示すように、本端末例に係る学習者端末α１，α２，α３，α４，…は、インターネット等の通信網Ｎ上の任意の領域に配置されて、この通信網Ｎを介して、例えば、テレビ会議等のライブストリーミング配信が可能となるように相互に接続されることで、リアルタイム性と双方向性を備えた遠隔学習の一形態として構築されるものであり、このとき、通信網Ｎ上に配置されたストリーミングデータ等を中継する所定のサーバ（図示しない）等を介して接続されても構わない。
【００２７】
なお、本端末例において通信網Ｎを介して受信し再生する発音教材は、外国語の所定の発音に対応した音声データと、同時にこの発音に必要な鼻腔、口腔、歯、舌及び顎の発声動作と所要の息の流れについて口内部分中央垂直片半断面模式図上で順次変化して示すアニメーション動画像と，発音の際の口もとの挙動変化の様子を示す口もと正面動画像と，口もと斜視動画像とのデータを有する動画像データと、を含むものとする。
【００２８】
このアニメーション動画像は、唇の使い方、歯の位置・開き方、顎の使い方、舌の位置、息の流れを順次変化させて示すものであり、例えば、息の流れについては、鼻腔、口腔、歯、舌及び顎の動作と対応させて、矢印等で順次変化させて示すとよく、発音教材は、事前に作成された所定発音を示すこのアニメーション動画像の示す発音に対応するレクチュアの発音時の様子を撮影して生成されてリアルタイムに配信された、音声データと口もと正面動画像と口もと斜視動画像とを同期対応させて再生しユーザに示すものである。
【００２９】
ここで、発音教材を再生する学習者端末α１，α２，α３，α４，…は、キーボードやマウス等であってユーザからの入力を受付ける入力デバイス１１と、通信網Ｎを介して所望の発音教材を抽出する発音教材抽出部１２と、再生するデータをデコードするデータデコード部１３と、デコードされたデータを再生する音声データ出力部１４と動画像データ出力部１５と、を具備して構成される。
【００３０】
さらに、学習者端末α１，α２，α３，α４，…は、カメラとマイク等を有してレクチュア又はユーザを撮影し撮影データを生成して、この撮影データを発音教材抽出部１２とデータデコード部１３とにそれぞれ送信、再生可能に出力する映像入力デバイス１６を具備し、この映像入力デバイス１６は、レクチュア又はユーザの発音時の口もとの様子を撮影することで、音声データと口もと正面動画像と口もと斜視動画像とを有した撮影データを生成可能に構成されるものとし、他に、メモリ等で構成されて、例えば、発音教材をバッファする機能を有した発音教材蓄積部１７を具備して構成されても構わない。
【００３１】
このうち、まず、入力デバイス１１は、発音教材毎に設定されて通信網Ｎ上に複数公開された、レクチュアの少なくとも性別、年齢の情報とこの発音教材の配信元となる、例えば、レクチュア学習者端末α１の通信網Ｎ上の位置を示すアドレス情報を含む発音教材情報群の中から、ユーザにより性別と年齢に基づき任意に選択設定された一の発音教材情報の入力を受付けたときには、この発音教材情報に基づき、該当する発音教材の要求信号を発音教材抽出部１２に出力するよう構成される。
【００３２】
また、発音教材抽出部１２は、入力デバイス１１から入力した要求信号に基づき、該当する学習者端末α１，α２，α３，α４，…に接続要求するよう構成されて、例えば、ユーザ学習者端末α２，α３，α４，…のそれぞれのユーザにより選択設定された発音教材情報中の、発音教材の配信元として指定されたレクチュア学習者端末α１に接続要求を行うよう構成される。
【００３３】
さらに、発音教材抽出部１２は、接続要求して所定の認証等を実施した後に、レクチュア学習者端末α１と、ユーザ学習者端末α２，α３，α４，…のそれぞれとの間で、例えば、テレビ会議等の専用的な双方向通信を確立し、レクチュア学習者端末α１から配信した発音教材を、ユーザ学習者端末α２，α３，α４，…にてリアルタイムに受信するよう構成されて、これにより、発音教材情報に基づき所望の発音教材の抽出をなすことが可能となる。
【００３４】
なお、この発音教材抽出部１２は、例えば、パケット単位で発音教材を受信したときに、画像表示可能となるパケットデータを受信するまで一時的に発音教材蓄積部１７にパケットデータを貯めて行き、所定量のパケットデータを貯めた後に、この発音教材蓄積部１７中のパケットデータを読み出してデータデコード部１３への送出が可能となるよう、発音教材蓄積部１７に随時データを入出力可能に接続されて、バッファリング管理可能に構成されるとよい。
【００３５】
ここで、発音教材蓄積部１７は、蓄積したパケットデータが読み出された後に、これらパケットを消去するようにして、所要のメモリサイズを最小とすることも可能であるが、これに限定されず、受信した発音教材を蓄積することで、配信された時刻に限定されないオンデマンドによる発音教材の随時再生が可能となるようにしても構わない。
【００３６】
また、データデコード部１３は、音声データと動画像データとを同期対応させてそれぞれ音声データ出力部１４と動画像データ出力部１５とで再生可能に出力するよう構成されて、例えば、発音教材抽出部１２にて発音教材を抽出したときには、発音教材中の音声データと動画像データとをそれぞれ同期対応させて再生可能にデコードするものである。
【００３７】
加えて、映像入力デバイス１６は、ユーザ学習者端末α２，α３，α４，…のユーザの口もとを撮影して、ユーザのリピート発音時の音声を録音した音声データと、発音教材中の動画像データに対応する口もと正面動画像と口もと斜視動画像とを有した撮影データを生成して、この撮影データをデータデコード部１３を介して音声データ出力部１４と動画像データ出力部１５とに出力可能に構成されるものとする。
【００３８】
したがって、動画像データ出力部１５は、音声データ出力部１４における音声データの出力と同期対応させて、発音教材中のアニメーション動画像と口もと正面動画像と口もと斜視動画像と、さらに、発音教材に対応させてユーザのリピート発音の様子を撮影した撮影データ中の口もと正面動画像と口もと斜視動画像とを、同一画面上にそれぞれ同期対応させてユーザにより対照可能に同時並列に表示することが可能となる。
【００３９】
なお、データデコード部１３は、音声データと動画像データとをそれぞれ同期対応させて再生可能にデコードすることに加えて、入力デバイス１１からレクチュア又はユーザにより任意に入力された発音教材の再生開始や再生停止、一時停止、繰り返し、所定表示領域の拡大等の再生制御又は再生処理に関する実行命令が通知されたときには、これらの実行命令に対して事前に設定された対応する制御及び処理を実行するように構成されるとよい。
【００４０】
さらに、映像入力デバイス１６は、生成した撮影データを、双方向通信が確立された、例えば、レクチュア学習者端末α１とユーザ学習者端末α２とでリアルタイムに送受信可能となるように発音教材抽出部１２に出力するよう構成される。
【００４１】
このとき、発音教材抽出部１２は、例えば、ユーザ学習者端末α２にて撮影した撮影データを、双方向通信が確立されたレクチュア学習者端末α１と、あるいは、同時に双方向通信を確立したユーザ学習者端末α３，α４，…とに、別途解説等を加えて送信することも可能となり、レクチュア又はユーザ学習者端末α１，α２，α３，α４，…は、それぞれ同様に構成されて、発音教材の配信及び受信が共に可能となるよう構成されることが望ましく、これにより、ユーザのなす発音に対して客観的な評価が可能となる。
【００４２】
一方、発音教材を配信するレクチュア学習者端末α１は、発音教材蓄積部１７に、発音教材中の、少なくとも事前に作成された所定のアニメーション動画像を蓄積して構成されて、また、発音教材抽出部１２が、入力デバイス１１にてレクチュアからの入力を受付けて生成した発音教材情報を、通信網Ｎを介して１以上のユーザ学習者端末α２，α３，α４，…に公開するよう構成される。
【００４３】
このとき、発音教材抽出部１２は、さらに、レクチュア学習者端末α１の映像入力デバイス１６にて、所定のアニメーション動画像の示す発音に対応させて生成した撮影データを、このアニメーション動画像とそれぞれ同期対応させることにより、発音教材とすることで、この発音教材を双方向通信が確立されたユーザ学習者端末α２，α３，α４，…の１以上にリアルタイムに配信可能に構成されたときには、発音教材として所定のアニメーション動画像とともにリアルタイムに撮影した撮影データを、ユーザ学習者端末α２，α３，α４，…に配信することが可能となる。
【００４４】
また、レクチュア学習者端末α１の発音教材抽出部１２は、アニメーション動画像と撮影データとを同期対応させて双方向通信を確立したユーザ学習者端末α２，α３，α４，…とに送信するとともに、レクチュア学習者端末α１内のデータデコード部１３に送出することで、この発音教材をレクチュア学習者端末α１内で再生出力するとともに、併せて、ユーザ学習者端末α２，α３，α４，…から送信された撮影データを同期対応させて再生するようにするとよい。
【００４５】
したがって、例えば、レクチュア学習者端末α１とユーザ学習者端末α２とはともに、相互に送受信した、レクチュア学習者端末α１にて生成した撮影データを含む発音教材と、この発音教材に対応させてユーザ学習者端末α２にて生成した撮影データとを、一画面上で対照可能に、かつ、リアルタイムに表示再生することが可能となる。
【００４６】
なお、このとき、音声データ出力部１４は、例えば、入力デバイス１１にてレクチュア又はユーザの任意入力を受付けて、データデコード部１３にて切り替える等により、レクチュア学習者端末α１で生成した発音教材中の音声データと、ユーザ学習者端末α２で受信した発音教材に対応させて生成した撮影データ中の音声データと、の音声出力は、それぞれ任意に切り替えて再生可能に構成されてもよく、また、双方同時に再生させて対照可能となるようにしてもよい。
【００４７】
また、例えば、ユーザ学習者端末α２の映像入力デバイス１６を、リピート発音時の音声データの収録をせずに、口もと正面動画像と口もと斜視動画像とのみを撮影して、これを撮影データとして生成可能に構成されても構わず、音声データを収録するか否かを入力デバイス１１を介してユーザから任意に入力可能となるように構成されても構わない。
【００４８】
さらに、レクチュア学習者端末α１とユーザ学習者端末α２，α３，α４，…とは、１対１の接続に限定されず、１対複数であっても構わず、この場合、レクチュア又はユーザ学習者端末α１，α２，α３，α４，…のそれぞれに搭載された動画像データ出力部１５は、発音教材と、それぞれの画面表示領域が許す範囲の任意端末数分の撮影データを同期対応させて一画面上に再生するようにしても構わない。
【００４９】
［表示再生例］
次に、図２は、画面（表示インタフェース）の表示再生例であり、例えば、発音教材をレクチュア学習者端末α１からユーザ学習者端末α２に配信した場合のレクチュア学習者端末α１の表示インタフェース１を説明する。
【００５０】
同図に示すように、表示インタフェース１中に、音声データとともに順次所定の挙動変化を示すアニメーション動画像２と、双方向通信を確立したレクチュア及びユーザ学習者端末α１，α２のそれぞれにて撮影した口もと正面動画像３ａ，３ｂと口もと正面斜視動画像４ａ，４ｂとを表示するものとする。
【００５１】
さらに、表示インタフェース１中には、再生のＯＮ／ＯＦＦ、一時停止、繰り返し等の切り替えボタンをレクチュアから視覚的に確認可能に表示し、入力デバイス１１を通じて再生のコントロールを受付け可能とする再生コントロールスイッチ表示部５と、発音教材の内容等の発音教材情報を表示する発音教材情報表示部６を具備するようにしても構わない。
【００５２】
ここで、アニメーション動画像２は、レクチュア学習者端末α１の発音教材蓄積部１７に蓄積された所定の動画像であり、レクチュア学習者端末α１で撮影した口もと正面動画像３ａと口もと斜視動画像４ａは、この所定のアニメーション動画像２に対応させて撮影し発音教材として配信することにより、例えば、この発音教材の受信を希望したユーザ学習者端末α２に配信することで、レクチュア学習者端末α１からユーザ学習者端末α２へリアルタイムに発音教材を配信することが可能となる。
【００５３】
また、口もと正面動画像３ｂと口もと斜視動画像４ｂとは、ユーザ学習者端末α２の映像入力デバイス１６にてユーザのリピート発音時に撮影した撮影データであり、発音教材を受信したユーザ学習者端末α２から、ユーザ学習者端末α２のユーザの口もとを撮影した撮影データを送信し、この撮影データをレクチュア学習者端末α１にてリアルタイムに受信することで、発音教材と同期対応させて再生するものである。
【００５４】
一方、このときユーザ学習者端末α２にて表示する表示インタフェース１は、レクチュア学習者端末α１から受信した発音教材中のアニメーション動画像２と口もと正面動画像３ａと口もと斜視動画像４ａと、ユーザ学習者端末α２に具備する映像入力デバイス１６にて撮影した撮影データ中の口もと正面動画像３ｂと口もと斜視動画像４ｂとであり、それぞれユーザ学習者端末α２のユーザにより対照可能に表示されるとよい。
【００５５】
したがって、レクチュア学習者端末α１とユーザ学習者端末α２とで表示する表示インタフェース中の内容は、同一のものでよく、ユーザ学習者端末α２においても、表示インタフェース１と同様の表示がなされるものであるが、それぞれの表示の配置は異なるものであっても構わない。
【００５６】
また、例えば、表示インタフェース１では、レクチュアとユーザ両者を撮影した口もと正面動画像３ａ，３ｂと口もと斜視動画像４ａ，４ｂとを同時並列させて対照可能に表示再生するものについて説明したものの、レクチュア学習者端末α１又はユーザ学習者端末α２により生成したどちらか一方の撮影データのみを選択再生するようにしても構わず、このとき選択再生は、入力デバイス１１にてレクチュア又はユーザからの選択入力を受付けるようにするとよい。
【００５７】
（方法例）
次に、以上のように構成された端末例に係るレクチュア又はユーザ学習者端末α１，α２，α３，α４，…により実施される方法例を説明する。
図３は、本発明の方法例に係る発音学習支援方法を説明するためのシーケンスチャートである。なお、本方法例においては、例えば、レクチュア学習者端末α１から、ユーザ学習者端末α２，α３，α４，…のうちの任意に双方向通信が確立されたユーザ学習者端末α２に発音教材を配信するものとして説明する。
【００５８】
同図に示すように、本方法例においては、発音教材配信の事前の準備として、発音教材毎に、例えば、所定の発音教材を配信するレクチュア学習者端末α１において、発音教材蓄積部１７に所定のアニメーション動画像２を事前に蓄積しておく（ＳＴ０１）とともに、このレクチュア学習者端末α１を使用するレクチュアの少なくとも性別、年齢の情報と、このレクチュア学習者端末α１の通信網Ｎ上の位置を示すアドレス情報と、を含む発音教材情報を、ユーザ学習者端末α２，α３，α４，…から通信網Ｎを介して確認可能に公開しておく（ＳＴ０２）。
【００５９】
このようにして発音教材毎に設定された発音教材情報が通信網Ｎ上で公開された状態において、例えば、ユーザ学習者端末α２は、通信網Ｎ上に公開された複数の発音教材情報群の中から、ユーザの性別や年齢に近いレクチュアによる発音教材等を示す任意に選択設定された発音教材情報の指定をこのユーザから入力デバイス１１にて受付けて、この発音教材情報中のアドレス情報に該当する発音教材を配信するレクチュア学習者端末α１に接続要求する（ＳＴ１１）ことで、所望の発音教材の要求を為す。
【００６０】
このＳＴ１１の接続要求の後に、この接続要求に基づき所定の認証等を経てレクチュア学習者端末α１とユーザ学習者端末α２との間で双方向通信を確立した（ＳＴ１２）後に、レクチュア学習者端末α１において、発音教材蓄積部１７中の所定のアニメーション動画像２に対応させた、レクチュア学習者端末α１のレクチュアの発音時の様子を撮影し、音声データと口もと正面動画像３ａと口もと斜視動画像４ａとを有した撮影データを生成する（ＳＴ２１）。
【００６１】
続いて、ＳＴ２１にて生成した撮影データを、このアニメーション動画像２と同期対応させて発音教材としてユーザ学習者端末α２にリアルタイムに配信する（ＳＴ２２）一方、ユーザ学習者端末α２にてこの発音教材を受信する（ＳＴ２３）ことにより、ユーザ学習者端末α２において、所望の発音教材を抽出することができる。
【００６２】
なお、発音教材を受信したユーザ学習者端末α２において、ＳＴ２３の発音教材の受信と並行して、少なくとも受信した発音教材に対応するリピート発音時の口もと正面動画像３ｂと口もと斜視動画像４ｂとを含む撮影データを生成し（ＳＴ２４）、以下に続くユーザ学習者端末α２内での再生に加えて、この撮影データをレクチュア学習者端末α１等に送信するようにした場合には、ＳＴ２４の撮影データの生成と同時にリアルタイムにこの撮影データをレクチュア学習者端末α１に送信する（ＳＴ２５）ようにしても構わない。
【００６３】
したがって、以降、レクチュア学習者端末α１とユーザ学習者端末α２とはともに、発音教材と、ユーザ学習者端末α２のＳＴ２４にて生成した撮影データとを、それぞれ搭載されたデータデコード部１３にてデコードし（ＳＴ３ａ，ＳＴ３ｂ）、音声データ出力部１４と動画像データ出力部１５とに同期対応させて再生する（ＳＴ４ａ，ＳＴ４ｂ）。
【００６４】
ここで、ＳＴ４ａ，ＳＴ４ｂに示した発音教材と撮影データの再生は、レクチュア又はユーザ学習者端末α１，α２のそれぞれにおいて、音声データの再生に同期対応させて、一画面上の、例えば、表示インタフェース１上にアニメーション動画像２と口もと正面動画像３ａ，３ｂと口もと斜視動画像４ａ，４ｂとをレクチュア又はユーザにより対照可能となるよう同時並列に表示するようにする。
【００６５】
なお、レクチュア学習者端末α１におけるＳＴ２１に示した撮影データの生成からＳＴ４ａに示した再生と、ユーザ学習者端末α２におけるＳＴ２３に示した発音教材の受信からＳＴ４ｂに示した再生までの過程は、本方法例が撮影データをリアルタイムかつ双方向に送受信するものであるため、いずれの処理も並列して継続的に実施するものであり、適宜所要時間繰り返し実施するようにするとよい。
【００６６】
また、レクチュア学習者端末α１におけるＳＴ２１の撮影データの生成は、発音教材蓄積部１７に事前に蓄積された複数のアニメーション動画像２中から、レクチュア又はユーザによる選択を入力デバイス１１にて受付けて、ここで選択されたアニメーション動画像２と対応させて撮影データを生成するようにするとよい。
【００６７】
（プログラム例及び記録媒体例）
続いて、以上に説明した方法例の実施に際し、レクチュア及びユーザ学習者端末α１，α２，α３，α４，…に導入して使用される発音学習支援処理プログラムの例と、当該発音学習支援処理プログラムを記録した記録媒体の例とを説明する。
【００６８】
ここで、以上の端末例及び方法例の説明から明らかなように、本発明におけるレクチュア又はユーザ学習者端末α１，α２，α３，α４，…は、共にコンピュータの基本機能を具備しているため、本発明で実現しようとする所要の機能は、ソフトウェア・プログラムにより構成することができる。
【００６９】
即ち、所要の発音学習支援処理プログラムを構成するに際しては、（Ａ）発音教材の配信元となるレクチュア学習者端末α１に、所定のアニメーション動画像２を事前に蓄積させる処理手順を実行させておくとともに、（Ｂ）発音教材情報をユーザ学習者端末α２，α３，α４，…に事前に公開しておく処理手順と、（Ｃ）ユーザ学習者端末α２，α３，α４，…に、ユーザにより性別と年齢に基づき任意に選択設定された発音教材情報中のアドレス情報に基づき、該当するレクチュア学習者端末α１に接続要求させる処理手順と、を実行させるための記述を、当該処理プログラムに具備させる。
【００７０】
さらに、（Ｃ）の接続要求に基づきレクチュア学習者端末α１と、例えば、ユーザ学習者端末α２とに、双方向通信を確立させる処理手順と、（Ｄ）レクチュア学習者端末α１に、蓄積させた所定のアニメーション動画像２の示す発音に対応するレクチュアの発音時の様子を撮影することで、音声データと口もと正面動画像３ａと口もと斜視動画像４ａとを有した撮影データを生成させる処理手順と、（Ｅ）この撮影データをアニメーション動画像２と同期対応させて、発音教材としてユーザ学習者端末α２にリアルタイムに配信させる処理手順と、を実行させるための記述を、当該処理プログラムに具備させる。
【００７１】
続けて、（Ｆ）ユーザ学習者端末α２に、発音教材の受信させる処理手順と、（Ｇ）（Ｆ）の受信させる処理手順と並行させて、発音教材に対応するユーザのリピート発音時の様子を撮影させることで撮影データを生成させる処理手順と、（Ｈ）この撮影データをレクチュア学習者端末α１にリアルタイムに送信させる処理手順と、を実行させるための記述を、当該処理プログラムに具備させる。
【００７２】
引続き、（Ｉ）レクチュア学習者端末α１とユーザ学習者端末α２のそれぞれに、発音教材とユーザ学習者端末α２にて生成させた撮影データとをデコードさせる処理手順と、（Ｊ）音声データを再生させる処理手順と、（Ｋ）（Ｊ）の処理手順と同期対応させて、発音教材とこの撮影データ中の動画像データを同一画面上に対照可能に同時並列に表示再生させる処理手順と、を実行させるための記述を、当該処理プログラムに具備させる。
【００７３】
なお、上記発音学習支援処理プログラムを記録した記録媒体を構成する場合には、任意の記録媒体に、当該発音学習支援処理プログラムにおける（Ａ）〜（Ｋ）の各処理手順をコンピュータ読取可能に実録すればよい。
【００７４】
以上、本発明の実施の形態につき、その端末例、並びにこれに対応する方法例、プログラム例及び記録媒体例を挙げて説明したが、本発明は必ずしも上述した手段、手法、手順及び手続にのみ限定されるものではなく、前述した効果を有する範囲内において、適宜、変更実施することが可能なものである。
【００７５】
例えば、本実施形態例では、発音教材毎に設定された発音教材情報として、少なくとも、レクチュアの性別、年齢の情報とレクチュア学習者端末α１のアドレス情報を有するようにしたが、この発音教材を配信する所定の時刻等の情報を有するようにすることで、例えば、レクチュア学習者端末α１に、所定の時刻に接続要求する等により、ユーザの所望の発音教材を所定の時刻に抽出することが可能となる。
【図面の簡単な説明】
【００７６】
【図１】本発明の端末例に係る学習者端末の構成を適用ネットワーク構成と共に示す図である。
【図２】同上した学習者端末における画面（表示インタフェース）の表示再生例である。
【図３】本発明の方法例に係る発音学習支援方法を説明するためのシーケンスチャートである。
【符号の説明】
【００７７】
α１，α２，α３，α４…発音学習支援学習者端末（レクチュア又はユーザ学習者端末）
１…表示インタフェース
２…アニメーション動画像
３ａ，３ｂ…口もと正面動画像
４ａ，４ｂ…口もと斜視動画像
５…再生コントロールスイッチ表示部
６…発音教材情報表示部
１１…入力デバイス
１２…発音教材抽出部
１３…データデコード部
１４…音声データ出力部
１５…動画像データ出力部
１６…映像入力デバイス
１７…発音教材蓄積部
Ｎ…通信網
【図１】
2005321443.tif 000003
【図２】
2005321443.tif 000004
【図３】
2005321443.tif 000005